(57)【要約】      （修正有）【課題】着用時の快適感を増加でき、利用者の乳房をバストアップすることができるブラジャー用緩衝通気構造を提供する。【解決手段】ブラジャーの人体の皮膚と接触する箇所に設けられ、少なくとも一つのベース布１１を含むベース１０と、複数の主緩衝体２１を含み、これらの前記主緩衝体は、互いに距離を置いて前記ベースの前記ベース布の表面に設けられ、前記各主緩衝体は、前記ベースに対して突き出ており、緩衝厚さＤと、円弧形接触面２１１と、を有し、緩衝ユニット２０同士の間に通気隙間が形成される緩衝ユニットと、を含む。【選択図】図６Ｂ
0003168270.tif 000002
【実用新案登録請求の範囲】
【請求項１】
ブラジャーの人体の皮膚と接触する箇所に設けられ、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むことを特徴とするブラジャー用緩衝通気構造。
【請求項２】
更に、複数のサイド緩衝体を含み、前記各サイド緩衝体は、それぞれ前記ベースの前記ベース布の両側を覆っていることを特徴とする、請求項１に記載のブラジャー用緩衝通気構造。
【請求項３】
互いに重ねて連接する二つのベース布を含むベースと、
複数の主緩衝体を含み、これらの前記主緩衝体は、互いに距離を置いて前記ベースの前記ベース布のうちの一つの表面に設けられ、前記各主緩衝体は、前記ベースに対して突き出ており、緩衝厚さと、円弧形接触面と、を有し、前記緩衝ユニット同士の間に通気隙間が形成される前記緩衝ユニットと、
を含むことを特徴とするブラジャー用緩衝通気構造。
【請求項４】
更に、複数のサイド緩衝体を含み、前記各サイド緩衝体は、それぞれ前記ベースの前記ベース布の両側を覆っていることを特徴とする、請求項３に記載のブラジャー用緩衝通気構造。
【請求項５】
ブラジャーの人体の皮膚と接触する箇所に設けられ、前記ブラジャーは、二つのカップと、ベルトと、を含み、前記二つのカップの一側が互いに連接しており、前記各カップは、人体の乳房をカバーするためのものであり、人体の乳房に対向する面が裏面とされ、人体の乳房から遠ざかった面が表面とされ、前記ベルトは二つの連接段を含み、前記二つの連接段は、一端が前記各カップの他側と連接し、他端が互いに係合可能であり、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むブラジャー用緩衝通気構造において、
前記各カップの前記裏面の下縁には、少なくとも一つの緩衝通気構造が設けられ、前記緩衝通気構造の緩衝ユニットが人体の乳房に対向することを特徴とするブラジャー用緩衝通気構造。
【請求項６】
前記ベースは、互いに重ねて連接する二つのベース布を含み、前記緩衝ユニットのこれらの前記主緩衝体は、前記ベース布のうちの一つの裏面に設けられることを特徴とする、請求項５に記載のブラジャー用緩衝通気構造。
【請求項７】
更に、複数のサイド緩衝体を含み、前記各サイド緩衝体は、それぞれ前記ベースの前記ベース布の両側を覆っていることを特徴とする、請求項５に記載のブラジャー用緩衝通気構造。
【請求項８】
前記各カップの裏面の下縁には、前記二つの緩衝通気構造が互いに隣接するように設けられることを特徴とする、請求項５に記載のブラジャー用緩衝通気構造。
【請求項９】
前記各カップの裏面の下縁には、前記二つの緩衝通気構造が互いに隣接するように設けられ、前記二つの緩衝通気構造のうちの一つと前記カップの間にスチールリングが設けられ、前記スチールリングを覆う前記緩衝通気構造が下側に位置し、残りの前記緩衝通気構造が上側に位置することを特徴とする、請求項５に記載のブラジャー用緩衝通気構造。
【請求項１０】
ブラジャーの人体の皮膚と接触する箇所に設けられ、前記ブラジャーは、二つのカップと、ベルトと、を含み、前記二つのカップの一側が互いに連接しており、前記各カップは人体の乳房をカバーするためのものであり、前記ベルトは二つの連接段を含み、前記二つの連接段は、一端が前記各カップの他側と連接し、他端が互いに係合可能であり、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むブラジャー用緩衝通気構造において、
前記ブラジャーに二つの前記緩衝通気構造が連接されており、前記各緩衝通気構造の前記ベースは、一端が前記ブラジャーの前記カップと連接し、他端が前記ベルトと連接することを特徴とするブラジャー用緩衝通気構造。
【請求項１１】
前記ベースは、互いに重ねて連接する二つのベース布を含み、前記緩衝ユニットのこれらの前記主緩衝体は、前記ベース布のうちの一つの裏面に設けられることを特徴とする、請求項１０に記載のブラジャー用緩衝通気構造。
【請求項１２】
前記各カップは、人体の乳房に対向する面が裏面とされ、人体の乳房から遠ざかった面が表面とされ、前記カップの前記裏面の下縁に少なくとも一つの前記緩衝通気構造が設けられ、前記緩衝通気構造の前記緩衝ユニットが人体の乳房に対向することを特徴とする、請求項１０に記載のブラジャー用緩衝通気構造。
【請求項１３】
前記各カップの裏面の下縁には、前記二つの緩衝通気構造が互いに隣接するように設けられることを特徴とする、請求項１２に記載のブラジャー用緩衝通気構造。
【請求項１４】
前記各カップの裏面の下縁には、前記二つの緩衝通気構造が互いに隣接するように設けられ、前記二つの緩衝通気構造のうちの一つと前記カップの間にスチールリングが設けられ、前記スチールリングを覆う前記緩衝通気構造が下側に位置し、残りの前記緩衝通気構造が上側に位置することを特徴とする、請求項１２に記載のブラジャー用緩衝通気構造。
【考案の詳細な説明】
【技術分野】
【０００１】
本考案は、ブラジャーに関し、特に、ブラジャー用緩衝通気構造に関するものである。
【背景技術】
【０００２】
女性は、自分の外見をどんどん重要視することが一般化し、例えば素肌の保養や服装及び下着の着用が自己価値を向上する手段となる。ブラジャーを正確に着用することにより、身体の曲線がもっと綺麗となり、魅力を増加することができる。
【０００３】
本願の出願人は、特許文献１の台湾特許Ｍ３１３９７１号公報の「だんだん層付きシェーピングブラジャー」を提案した。このブラジャーは、カップの下縁にシェーピング層が設けられ、前記シェーピング層により女性の乳房をバストアップすることができ、乳房の曲線をもっと綺麗にすることができる。しかし、バストアップ効果を達成するために、前記シェーピング層が利用者の乳房を圧迫し、これにより、このようなブラジャーを長時間に着用すると、利用者の乳房に圧痕が発生し、利用者が不快を感じ易いといった問題があった。
【先行技術文献】
【特許文献】
【０００４】
【特許文献１】台湾特許Ｍ３１３９７１号公報
【考案の概要】
【考案が解決しようとする課題】
【０００５】
本考案の主な目的は、着用時の快適感を増加できて、利用者の乳房をバストアップすることができるブラジャー用緩衝通気構造を提供することにある。
【課題を解決するための手段】
【０００６】
本考案のブラジャー用緩衝通気構造によると、ブラジャーの人体の皮膚と接触する箇所に設けられ、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むことを特徴とする。
【０００７】
本考案のブラジャー用緩衝通気構造によると、更に、複数のサイド緩衝体を含み、前記各サイド緩衝体は、それぞれ前記ベースの前記ベース布の両側を覆っていることを特徴とする。
【０００８】
本考案のブラジャー用緩衝通気構造によると、互いに重ねて連接する二つのベース布を含むベースと、
複数の主緩衝体を含み、これらの前記主緩衝体は、互いに距離を置いて前記ベースの前記ベース布のうちの一つの表面に設けられ、前記各主緩衝体は、前記ベースに対して突き出ており、緩衝厚さと、円弧形接触面と、を有し、前記緩衝ユニット同士の間に通気隙間が形成される前記緩衝ユニットと、
を含むことを特徴とする。
【０００９】
本考案のブラジャー用緩衝通気構造によると、更に、複数のサイド緩衝体を含み、前記各サイド緩衝体は、それぞれ前記ベースの前記ベース布の両側を覆っていることを特徴とする。
【００１０】
本考案のブラジャー用緩衝通気構造によると、ブラジャーの人体の皮膚と接触する箇所に設けられ、前記ブラジャーは、二つのカップと、ベルトと、を含み、前記二つのカップの一側が互いに連接しており、前記各カップは、人体の乳房をカバーするためのものであり、人体の乳房に対向する面が裏面とされ、人体の乳房から遠ざかった面が表面とされ、前記ベルトは二つの連接段を含み、前記二つの連接段は、一端が前記各カップの他側と連接し、他端が互いに係合可能であり、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むブラジャー用緩衝通気構造において、
前記各カップの前記裏面の下縁には、少なくとも一つの緩衝通気構造が設けられ、前記緩衝通気構造の緩衝ユニットが人体の乳房に対向することを特徴とする。
【００１１】
本考案のブラジャー用緩衝通気構造によると、前記ベースは、互いに重ねて連接する二つのベース布を含み、前記緩衝ユニットのこれらの前記主緩衝体は、前記ベース布のうちの一つの裏面に設けられることを特徴とする。
【００１２】
本考案のブラジャー用緩衝通気構造によると、更に、複数のサイド緩衝体を含み、前記各サイド緩衝体は、それぞれ前記ベースの前記ベース布の両側を覆っていることを特徴とする。
【００１３】
本考案のブラジャー用緩衝通気構造によると、前記各カップの裏面の下縁には、前記二つの緩衝通気構造が互いに隣接するように設けられることを特徴とする。
【００１４】
本考案のブラジャー用緩衝通気構造によると、前記各カップの裏面の下縁には、前記二つの緩衝通気構造が互いに隣接するように設けられ、前記二つの緩衝通気構造のうちの一つと前記カップの間にスチールリングが設けられ、前記スチールリングを覆う前記緩衝通気構造が下側に位置し、残りの前記緩衝通気構造が上側に位置することを特徴とする。
【００１５】
本考案のブラジャー用緩衝通気構造によると、ブラジャーの人体の皮膚と接触する箇所に設けられ、前記ブラジャーは、二つのカップと、ベルトと、を含み、前記二つのカップの一側が互いに連接しており、前記各カップは人体の乳房をカバーするためのものであり、前記ベルトは二つの連接段を含み、前記二つの連接段は、一端が前記各カップの他側と連接し、他端が互いに係合可能であり、
少なくとも一つのベース布を含むベースと、
複数の主緩衝体を含み、これらの前記主緩衝体は、互いに距離を置いて前記ベースの前記ベース布の表面に設けられ、前記各主緩衝体は、前記ベースに対して突き出ており、緩衝厚さと、円弧形接触面と、を有し、前記緩衝ユニット同士の間に通気隙間が形成される緩衝ユニットと、
を含むブラジャー用緩衝通気構造において、
前記ブラジャーに二つの前記緩衝通気構造が連接されており、前記各緩衝通気構造の前記ベースは、一端が前記ブラジャーの前記カップと連接し、他端が前記ベルトと連接することを特徴とする。
【００１６】
本考案のブラジャー用緩衝通気構造によると、前記ベースは、互いに重ねて連接する二つのベース布を含み、前記緩衝ユニットのこれらの前記主緩衝体は、前記ベース布のうちの一つの裏面に設けられることを特徴とする。
【００１７】
本考案のブラジャー用緩衝通気構造によると、前記各カップは、人体の乳房に対向する面が裏面とされ、人体の乳房から遠ざかった面が表面とされ、前記カップの前記裏面の下縁に少なくとも一つの前記緩衝通気構造が設けられ、前記緩衝通気構造の前記緩衝ユニットが人体の乳房に対向することを特徴とする。
【００１８】
本考案のブラジャー用緩衝通気構造によると、前記各カップの裏面の下縁には、前記二つの緩衝通気構造が互いに隣接するように設けられることを特徴とする。
【００１９】
本考案のブラジャー用緩衝通気構造によると、前記各カップの裏面の下縁には、前記二つの緩衝通気構造が互いに隣接するように設けられ、前記二つの緩衝通気構造のうちの一つと前記カップの間にスチールリングが設けられ、前記スチールリングを覆う前記緩衝通気構造が下側に位置し、残りの前記緩衝通気構造が上側に位置することを特徴とする。
【考案の効果】
【００２０】
本考案のブラジャー用緩衝通気構造によれば、着用時の快適感を増加でき、利用者の乳房をバストアップすることができるという効果を有する。
【図面の簡単な説明】
【００２１】
【図１】本考案の一実施例を示す斜視図である。
【図２】本考案の一実施例を示す断面図である。
【図３】本考案の一実施例を別の方向から見た断面図である。
【図４】本考案の一実施例に一つだけのベース布が設けられた状態を示す断面図である。
【図５】本考案の一実施例がブラジャーの下縁に組み付けられた状態を示す模式図である。
【図６Ａ】本考案の一実施例がブラジャーの下縁に組み付けられてスチールリングを覆っている状態を示す断面図である。
【図６Ｂ】図６Ａの一部を拡大して示す断面図である。
【図７Ａ】本考案の一実施例がブラジャーの下縁に組み付けられた状態を示す模式図である。
【図７Ｂ】図７Ａの一部を拡大して示す断面図である。
【図８】本考案の一実施例がブラジャーのストラップとして利用される状態を示す模式図である。
【考案を実施するための形態】
【００２２】
以下、本考案の実施の形態を図面に基づいて説明する。
まず、図１乃至図４を参照する。本考案の一実施例のブラジャー用緩衝通気構造は、ベース１０と、緩衝ユニット２０と、を含む。
【００２３】
ベース１０は、少なくとも一つのベース布１１を含む。本実施例では、図４に示すように、ベース１０は二つのベース布１１を重ねて連接して構成される。
【００２４】
緩衝ユニット２０は、複数の主緩衝体２１と、複数のサイド緩衝体２２と、を含む。これらの主緩衝体２１は、互いに距離を置いてベース１０のベース布１１のうちの一つの表面に設けられる。各主緩衝体２１は、ベース１０に対して突き出ており、緩衝厚さＤと、円弧形接触面２１１と、を有する。緩衝ユニット２２同士の間に通気隙間２３が形成される。各サイド緩衝体２２は、それぞれベース１０のベース布１１の両側を覆っている。
【００２５】
本考案の緩衝通気構造１００は、ブラジャー２００の人体の皮膚と接触する箇所に設けられ、図５乃至図７に示すように、緩衝通気構造１００がブラジャー２００の裏面の下縁に設けられる。ブラジャー２００は、二つのカップ３０と、ベルト４０と、を含む。
【００２６】
二つのカップ３０の一側が互いに連接しており、各カップ３０は、人体の乳房Ａをカバーするためのものであり、人体の乳房Ａに対向する面が裏面３１とされ、人体の乳房Ａから遠ざかった面が表面３２とされる。
【００２７】
ベルト４０は二つの連接段４１を含む。連接段４１、４１は、一端が各カップ３０の他側と連接し、他端が互いに係合可能である。
【００２８】
各カップ３０の裏面３１の乳房Ａと接触する箇所では、少なくとも一つの緩衝通気構造１００が設けられる。緩衝通気構造１００の緩衝ユニット２０は人体の乳房Ａに対向する。図５及び図６に示すように、各カップ３０の裏面３１の下縁には、二つの緩衝通気構造１００が互いに隣接するように設けられる。二つの緩衝通気構造１００のうちの一つとカップ３０の間にスチールリング５０が設けられる。スチールリング５０を覆う緩衝通気構造１００は下側に位置し、残りの緩衝通気構造１００が上側に位置する。もちろん、図７に示すように、スチールリング５０を設けなくてもよい。
【００２９】
利用者がブラジャー２００を着用しているときには、ブラジャー２００のカップ３０の裏面３１が乳房Ａを覆う。ブラジャー２００のカップ３０の下縁は乳房Ａを支える重要な構成であり、ブラジャー２００のカップ３０の下縁に緩衝通気構造１００を設けたと、緩衝通気構造１００により、利用者の乳房Ａの下縁が支えられて、利用者の乳房Ａをバストアップすることができる。図７に示すように、ブラジャー２００のカップ３０の下縁には、一部が隣接する二つの緩衝通気構造１００が設けられ、且つ緩衝通気構造１００は緩衝ユニット２０の主緩衝体２１の円弧形接触面２１１で利用者と接触し、主緩衝体２１が緩衝厚さＤを有するため、バストアップ効果を達成できる他、ブラジャー２００のエッジの利用者の皮膚に対する圧迫を減少でき、本考案のブラジャーの着用時の快適感を増加できる。そして緩衝通気構造１００の緩衝ユニット２０の各主緩衝体２１の間に通気隙間２３が存在するため、通気隙間２３により利用者の皮膚と外部を通気でき、本考案のブラジャー２００の着用時の快適感を増加できる。
【００３０】
図６に示すように、ブラジャー２００に緩衝通気構造１００、１００が設けられ、下側にある緩衝通気構造１００とカップ３０の間にスチールリング５０が設けられる場合には、スチールリング５０により支持力が更に増加し、利用者の乳房Ａをバストアップする効果が増加する。そして緩衝通気構造１００、１００がスチールリング５０を覆うため、スチールリング５０の利用者の乳房Ａに対する圧迫を減少でき、ひいては利用者の皮膚の圧迫による圧痕を減少できる。
【００３１】
一方、図８に示すように、緩衝通気構造１００のベース１０は、一端がブラジャー２００のカップ３０と連接し、他端がベルト４０と連接する。そうすると、本考案の緩衝通気構造１００はブラジャー２００のストラップとして利用できる。ブラジャー２００のストラップが利用者の乳房の重量の大部分を受けるため、緩衝通気構造１００をストラップとするブラジャー２００を着用しているときには、緩衝通気構造１００の緩衝ユニット２０の主緩衝体２１が設けられる面が利用者と接触し、緩衝通気構造１００の緩衝ユニット２０により、前記ストラップの利用者の肩部に対する圧迫を減少できる。そうすると、本考案のブラジャー２００の着用時の快適感を増加できる。
【産業上の利用可能性】
【００３２】
本考案は、ブラジャーに適用することができる。
【符号の説明】
【００３３】
１０：ベース
１１：ベース布
２０：緩衝ユニット
２１：主緩衝体
２２：サイド緩衝体
２３：通気隙間
３０：カップ
３１：裏面
３２：表面
４０：ベルト
４１：連接段
５０：スチールリング
１００：緩衝通気構造
２００：ブラジャー
２１１：円弧形接触面
Ａ：乳房
Ｄ：緩衝厚さ
【図１】
0003168270.tif 000003
【図２】
0003168270.tif 000004
【図３】
0003168270.tif 000005
【図４】
0003168270.tif 000006
【図５】
0003168270.tif 000007
【図６Ａ】
0003168270.tif 000008
【図６Ｂ】
0003168270.tif 000009
【図７Ａ】
0003168270.tif 000010
【図７Ｂ】
0003168270.tif 000011
【図８】
0003168270.tif 000012